(57)【要約】【課題】従来の帽子はサイズが決まっているので、芯部材を自在に取り替えられることにより、複数個の帽子カバ−本体と一つの芯材のみで多様な形態を得る帽子を提供する。【解決手段】伸縮性のある布地により形成される、略釣り鐘状を成す帽子カバ−本体１の下部に、出し入れ口５を有する袋状つば部４を形成し、その袋状つば部４に、一部が開放された略Ｃ字状の芯部材６を出し入れ自在にできる帽子８を構成する。【選択図】図２
2005240263.tif 000002
【特許請求の範囲】
【請求項１】
伸縮性の布地により形成される帽子カバ−本体の下部に、出し入れ口を有する袋状つば部を設け、その袋状つば部に、適度に腰の強さがある素材により、一部が開放された略Ｃ字状の芯部材を自在に出し入れできる構成を特徴とする帽子。
【請求項２】
袋状つば部に組み合わされる芯部材の素材が、網生地により形成された網芯である請求項１に記載の帽子。
【発明の詳細な説明】
【技術分野】
【０００１】  本発明は、帽子のつばの芯材を自在に取り替えられることにより、複数個の帽子カバ−と一つの芯材のみで、多様な形態のお洒落を気軽に楽しむことができる帽子に関する。
【背景技術】
【０００２】  従来、帽子は日除けや防寒に使用されることはもとより、旅行やショッピングなどに出かける際に服装に調和する帽子をお洒落として楽しみ、特に女性においてはファッションの一つとして愛用する人が増える傾向にある。また帽子の形態はクラウンとつばが一定の形を成す立体的なタイプの他、布地や毛糸などによる柔軟なタイプの帽子や技術が開示されている。【０００３】  以上のような様々な形態の帽子が提供されているが、その中において、着用した服装やその日の気分によって帽子の形状や色彩を任意に選択し得る多種形状の帽子の技術がある（例えば特許文献１参照）【０００４】  また、立体的な帽子のクラウンとつばが分離して使えることで、その日の気分や雰囲気に応じて色や形、素材等が異なる多種類の帽子として使え、かつ小さなスペ−スでも保管することができる帽子の技術もある（例えば、特許文献２参照）【０００５】
【特許文献１】特開平９−１３２８０８号公報（第２頁−３頁、図１）
【特許文献２】特開２００１−５５６１４号公報（第２頁−３頁、図２）
【発明の開示】
【発明が解決しようとする課題】
【０００６】  以上のような帽子の技術が開示されており、それぞれ目的とする一定の効果や機能がある。しかし古くから提供される帽子の形は一定の型を成す立体的であり、サイズもＳＬＭと決められているため、異なる形態の帽子を楽しむには好みの帽子を個別に揃えておく必要がある。さらに立体型タイプの場合は、型くずれを帽子するため保管の際は箱に入れて収納しなければならないのでスペ−スを必要とする。また柔らかい素材による帽子においてもサイズは同様に決められているので、単独の帽子を複数個揃えて置く必要がある。【０００７】  次に、特開平９−１３２８０８号公報による技術は、一つで多種形状の帽子を形成できる素材が柔軟なタイプの帽子であるが、サイズは一定であるので色や素材が異なるものを求める場合は、それぞれ単独に揃えなくてはならないなどの不便があった。さらに色や形状を変えられる点はあるが、クラウンに相当する山部そのものを取り代える訳ではないので、その形状や色などの変化は限定されるものであった。【０００８】  また特開２００１−５５６１４号公報による帽子は、クラウンとつばが分離できることにより、その時の気分や場所に応じてつばを取り外したり、別のつばに差し替えたりすることで一つの帽子で色や形、素材等異なる帽子を形成できるが、このタイプは立体的でかつサイズも決まっているため、髪形をボリュ−ム持たせた場合などは髪をつぶす恐れがあるため、その場合は気に入っていても少し大きめの他の帽子に替える必要がある。またクラウンの形状は一定であるので他の形を望む場合は個別に帽子を取り揃える必要があった。加えて、立体的な帽子であるのでクラウンとつばが分離して小さくできるとは言え、小さなバッグに複数個入れて旅先に気軽に携行できるほどコンパクトにならない。さらに保管する場合は型を崩さないためにも専用の箱に納めなければならないので、それなりの保管スペ−スが必要であった。
【課題を解決するための手段】
【０００９】  本発明は上記する不便や欠点を解消するために、請求項１においては、伸縮性の布地により形成される略釣り鐘状を成す帽子カバ−本体の下部に、出し入れ口を有する袋状つば部を形成し、その袋状つば部に、一部が開放された略Ｃ字状の芯部材を出し入れ自在にできる帽子とすることで、異なる複数個の帽子カバ−と一つの芯部材のみで、その日の天候や服装、気分に合わせて楽しく変身できる帽子とする。【００１０】  請求項２においては、袋状つば部に組み合わされる芯部材の素材を網生地による網芯を採用することで、軽くてかつ適度な腰の強さがあるつば芯部材とし、かつ携行時には折りたたみも容易なものとする。
【発明の効果】
【００１１】  本発明による帽子は、伸縮性の布地による帽子カバ−本体のつば部分の全周に渡り内部が袋状を成し、その一部に芯部材の出し入れ口を設けるとともに、その出し入れ口より、一部が開放した略Ｃ字状の網芯を差し入れることで、全体が柔かい素材の帽子でも適度な腰の強さと柔軟性があるつばを有する帽子を簡単に形成できる。したがってこの帽子を被る際は、まず着用者が自分の頭に合わせてサイズを決め、芯部材の重なり部を留めピン等で留めるだけで好きなサイズに設定することが容易である。また従来の帽子は自分自身で選び購入しなければならなかったが、本発明による帽子だと着用者の髪型もサイズも不問などで、他人へのプレゼントとしても最適である。また留めピンは帽子のポイントアクセサリ−となる。【００１２】  さらに伸縮性ある帽子カバ−本体の素材とともに、つばの芯部材は自在に取り付け取り外しが可能であり、また芯材を取り外した帽子カバ−本体は極めて小さくなるので、複数個をバッグに入れてもかさ張らないし、保管するにも特定の箱を必要としない。したがって旅行などの場合は気に入った複数個の帽子カバ−と一つの芯部材を携行するのみで、天気や服装、雰囲気に合わせた好みの帽子カバ−に芯部材を差し入れるだけで簡単に帽子を形成できるので、販売者は複数個の帽子を売りやすく、かつ購入する側のコストも軽減して経済的である。また途中で他の帽子にしたい時は芯部材を差し替えるだけで、即座に好きな帽子を形成できるため、変身する楽しさを自身が感じることはもとより雰囲気も変えることができる。加えて、芯部材は柔軟な網素材であるので、突然強い風が吹いた場合反ることはあるが飛ばされる心配はない。また汚れた場合は芯部材を入れたまま洗っても型くずれしないし、必要なら芯部材を取り外して簡単に洗える帽子を形成するので、多様性を求めるユ−ザ−を満足させられる実用性とともにフッション性も兼ね備えた帽子を提供することができる。
【実施するための最良の形態】
【００１３】  伸縮性ある布地により吊り鐘状に形成した帽子の下部に、一部に出し入れ口を有する袋状つば部を形成し、その袋状つば部に、一部が開放した略Ｃ字状に形成される芯部材を出し入れできる構成とする。
【実施例１】
【００１４】  本発明の実施例を図１に示す一部欠損した斜視図と図２に示す縦断面図、図３に示す帽子を裏返した分解斜視図及び図４に示す芯部材のＡ−Ａ線拡大断面図を参照しながら説明する。
帽子カバ−本体１を形成する素材は、伸縮性ある布地（毛糸で編んだ物も含む）等により、上部に山部２を有する略釣り鐘状に形成した下部を、一定の幅に表面側に折り返した端部を縫い付け部３による袋状つば部４を形成し、さらに、その袋状つば部４の裏側には、縦状の出し入れ口５を設けた帽子カバ−本体１を形成する。次に帽子カバ−本体１の袋状つば部４には、別途に形成した芯部材６として、ポリエステルやナイロン等の合成繊維による細かい網生地（商品名、ホ−スヘア−など）を図４に示すように二つ折りしたうえで、図３に示すように一部を開放した略Ｃ字状を成す外側と内側端部寄りを縫い付け部３，３をもって、適度に腰の強さがある網芯７を形成し、その網芯７を、前記した帽子カバ−本体１の袋状つば部４の裏側に設けた出し入れ口５より全周に差し入れて本発明による帽子８を構成する。【００１５】  以上のような帽子８を形成するが、この帽子８を着用する際は、まず着用者が自分の頭に合わせてサイズを決め、芯部材６の重なり部を留めピン９等で留めるだけで任意のサイズに設定することが容易である。また留めピン９はポイントアクセサリ−となる。加えて、芯部材６は自在に取り外しできるため、他の素材や色の帽子カバ−本体１を複数個備えれば、一つの芯部材６のみで多様な形態の帽子を形成できる。【００１６】  このようにつばの芯部材６は自在に取り付け取り外しが可能なことに加え、帽子カバ−１本体の素材は伸縮性ある一枚の生地により形成されているので、芯部材６を取り外すと帽子カバ−１本体は極めて小さく折りたためる。加えて、芯部材６は適度に腰の強さと柔軟性がある網芯７を採用しているので軽く、かつ取り外しても小さく折りたためるので、複数個の帽子カバ−と一つの芯材のみで、素材や形、色が異なる多様な形態の帽子を好きな時に即座に形成することができる。
【実施例２】
【００１７】  実施例２の帽子を図５に示す分解斜視図と図６に示す斜視図を参照して説明する。
本実施例における帽子８は、基本的には前記実施例１と同じであるが、帽子カバ−本体１の素材は毛糸を素材とする布地であり、その袋状つば部４に設ける出し入れ口５の位置が異なるタイプである。まず上部に山部２を有する釣り鐘状の帽子カバ−本体１の下部に縫い付け部３による袋状つば部４を形成するが、その縫い付け部３の一部を開放状態にすることで、芯部材６の出し入れ口５を形成した帽子８を構成する。さらに組み合わせる網芯７は、前記実施例１タイプより開放部を広くして、長さが約半分程度の略馬蹄状またはＣ字状の芯部材６とし、その芯部材６を上記した袋状つば部４の出し入れ口５より、帽子カバ−本体１の前部側に位置するように差し入れた帽子８を構成する。【００１８】  この実施例における芯部材６用の出し入れ口５は、表面側に折り返した縫い付け部３に沿って一部を開放する方法であるため、表面側であっても出し入れ口５が目立つことなく、また帽子カバ−本体１の素材は伸縮性があるので、芯部材５の出し入れは前記実施例１同様に簡単に出し入れすることができる。加えて、袋状つば部４の前部に差し入れられた芯部材６は約半分の略馬蹄状であるため前部は庇状になるが、伸縮性の素材特性により後部は図６に示すように上方向きに反る形状の帽子にすることができ、また下方向きにすることも可能である。【００１９】  本発明における帽子８は以上のような構成であるが、その帽子８のつばを形成するの芯部材６としては上記した網生地による素材が最も好ましいが、これ以外には、少し固めで腰の強いのウレタンやプラスチック素材による芯材を採用しても構わない。さらに袋状つば部４は釣り鐘状の帽子カバ−本体１の下部を折り返して設けているが、別の生地を重ねた上下を縫い付ける方法であっても差し支えない。加えて、帽子８の素材は伸縮性ある生地とするが、織りによるものはもとより、細かい折りヒダに加工による伸縮性を有するものでもよく、いずれも特に限定されるものではない。
【産業上の利用可能性】
【００２０】  本発明における帽子は、特に女性が愛用するファッション性の高い帽子を対象としているが、スポ−ツや遊びの際に被る一般的な野球帽子などのつばにも摘要できる。
【図面の簡単な説明】
【００２１】
【図１】実施例１の帽子を示す一部欠損した斜視図である。
【図２】実施例１の帽子を示す縦断面図である。
【図３】実施例１の帽子を裏返した分解斜視図である。
【図４】芯部材となる網芯を示すＡ−Ａ線拡大断面図である。
【図５】実施例２の帽子本体を示す斜視図である。
【符号の説明】
【００２２】  １  帽子カバ−本体
２  山部
３  縫い付け部
４  袋状つば部
５  出し入れ口
６  芯部材
７  網芯
８  帽子
９  留めピン
【図１】
2005240263.tif 000003
【図２】
2005240263.tif 000004
【図３】
2005240263.tif 000005
【図４】
2005240263.tif 000006
【図５】
2005240263.tif 000007
【図６】
2005240263.tif 000008
【手続補正書】
【提出日】平成16年4月20日(2004.4.20)
【手続補正１】
【補正対象書類名】明細書
【補正対象項目名】００２１
【補正方法】変更
【補正の内容】
【００２１】
【図１】実施例１の帽子を示す一部欠損した斜視図である。
【図２】実施例１の帽子を示す縦断面図である。
【図３】実施例１の帽子を裏返した分解斜視図である。
【図４】芯部材となる網芯を示すＡ−Ａ線拡大断面図である。
【図５】実施例２の帽子を示す分解斜視図である。
【図６】実施例２の帽子を示す斜視図である。